(57)【要約】【課題】簡単な構成で接続する携帯電話機の発信機能などを有効に利用することができるようにする。【解決手段】ハンズフリー装置１は、接続手段３を介して接続される携帯電話機２に、携帯電話機２自体の操作で行う発信機能を、操作釦４やタッチパネル５への操作で代行して作動させることができる。メモリダイヤルや短縮ダイヤルなどで、携帯電話機２に記憶されている電話番号などから特定の電話番号を選んで発信する場合に、少ない操作で電話番号を選び、発信することができる。【選択図】　　　図１
2004134977.tif 000002
【特許請求の範囲】
【請求項１】
携帯電話機を接続して、携帯電話機に対する操作を代行して行うことを可能にするハンズフリー装置であって、
携帯電話機との接続を行う接続手段と、
携帯電話機に予め記憶される情報を使用する発信機能に対応するように設定される操作手段と、
操作手段に対する操作が行われるときに、接続手段を介して携帯電話機を、該発信機能で発信を行うように制御する制御手段とを含むことを特徴とするハンズフリー装置。
【請求項２】
前記操作手段は、タッチパネルを含み、
該タッチパネルの特定エリアに前記携帯電話機の予め定める発信機能が対応することを特徴とする請求項１記載のハンズフリー装置。
【請求項３】
前記操作手段は、複数の操作釦を含み、
各操作釦に前記携帯電話機の予め定める発信機能が対応することを特徴とする請求項１または２記載のハンズフリー装置。
【請求項４】
前記発信機能は、前記携帯電話機に設定されている短縮ダイヤルの特定の番号を割当てて発信する機能であることを特徴とする請求項１〜３のいずれかに記載のハンズフリー装置。
【請求項５】
前記発信機能は、前記携帯電話機に設定されているメモリダイヤルの特定の番号を割当てて発信する機能であることを特徴とする請求項１〜４のいずれかに記載のハンズフリー装置。
【請求項６】
前記制御手段は、前記操作手段に対する操作が行われるときに、該発信機能で使用する情報を前記携帯電話機から読込んで、該携帯電話機に対して該情報に基づく発信を行うように制御することを特徴とする請求項１〜５のいずれかに記載のハンズフリー装置。
【請求項７】
前記情報は、発信先情報であることを特徴とする請求項６記載のハンズフリー装置。
【請求項８】
前記情報は、発信内容となる情報であることを特徴とする請求項６または７記載のハンズフリー装置。
【請求項９】
前記制御手段は、前記操作手段に対する操作が行われるときに、該携帯電話機を、該操作に対応する発信機能が作動するように制御することを特徴とする請求項１〜５のいずれかに記載のハンズフリー装置。
【請求項１０】
前記接続手段には、複数の携帯電話機が接続可能であり、
前記操作手段は、該接続手段に接続される全ての携帯電話機が同一の発信機能で発信するように制御することを特徴とする請求項１〜９のいずれかに記載のハンズフリー装置。
【請求項１１】
前記操作手段は、前記携帯電話機が有する複数の発信機能に対応する操作が可能であり、
各操作と前記携帯電話機の発信機能との対応関係を示す対応情報を記憶する対応情報記憶手段を備えることを特徴とする請求項１〜１０のいずれかに記載のハンズフリー装置。
【請求項１２】
前記対応情報記憶手段に記憶される対応情報は、データ通信によって取得して変更可能であることを特徴とする請求項１１記載のハンズフリー装置。
【請求項１３】
前記データ通信は、メールとして行われることを特徴とする請求項１２記載のハンズフリー装置。
【請求項１４】
前記対応情報記憶手段に記憶される対応情報は、メモリ媒体から取得して変更可能であることを特徴とする請求項１１〜１３のいずれかに記載のハンズフリー装置。
【発明の詳細な説明】
【０００１】
【発明の属する技術分野】
本発明は、携帯電話機を接続して、携帯電話機に対する操作を代行して行うことを可能にするハンズフリー装置に関する。
【０００２】
【従来の技術】
従来から、携帯電話機は、携帯性を重視して小型軽量に設計され、使用者の使い勝手を向上させる多くの機能が設けられている。代表的な機能として、短縮ダイヤルやメモリダイヤルの機能があり、いったん電話番号を記憶しておけば、電話番号全体を入力する操作を行うことなく、相手を呼出す操作を行うことができる。電話番号を順次入力して、相手を呼出す操作も、もちろん可能である。
【０００３】
携帯電話機の操作は、使用者が手持で行うことを前提にしている。このため、自動車などを運転する場合、走行中に運転しながら操作することは、運転に集中すべき注意力が分散するばかりではなく、携帯電話機の操作に手を使用してしまうので好ましくない。停止時などに操作するために、携帯電話機を常に所持していることも、運転に使用する手が少なくなることで好ましくない。走行中は放置しておいて、停止時などに取り上げて操作しようとしても、走行中に受ける加速度や振動で、携帯電話機の位置がずれてしまうおそれがある。そこで、自動車などの運転者が手持で携帯電話機を操作しないでも使用可能にするために、携帯電話機には、ハンズフリー装置が車載オプションなどとして用意されることがある。車載オプションとしてのハンズフリー装置には、車内で携帯電話機を保持するホルダ、携帯電話機の動作用電源および内部電池充電用の電源、アンテナ、および操作ユニットなどが含まれる。また、独立した製品としてのハンズフリー装置も販売されている。ハンズフリー装置では、携帯電話機を接続する装置の操作部を使用して、携帯電話機に対する操作を代行して行うことができる。
【０００４】
特開平１０−３２２４３５号公報の［０００１］段落−［０００２］段落などには、「車両を運転中に携帯電話器を手に持たずに通話するための車両用ハンドフリー装置」についての記載がある。従来の技術としては、「携帯電話器を車両のハンドフリー装置を構成する制御回路に接続してハンドフリー状態で使用する場合、携帯電話器に記憶したメモリダイヤルデータを制御回路側のデータ記憶部に読み込み、制御回路側で短縮ダイヤル操作を行えるようにしている。このメモリダイヤルデータの読み込み処理は、携帯電話器を制御回路へ接続する毎に行われていた。」と記載されている。この先行技術では、［００１９］段落などに記載されているように、いったん読み込んだメモリダイヤルデータを保存しておき、再接続時にはメモリダイヤルデータを読み込む必要を無くするようにしている。
【０００５】
なお、特開平８−１３９７９８号公報には、その要約書の
［構成］の欄に記載されているように、「通信回線との接続ができない携帯情報端末（ＰＤＡ）１０を、相互に情報の授受が可能なＰＣＭＣＩＡインターフェイス２８を介して、携帯電話３０と接続し、携帯電話側の電話帳情報をＰＤＡ側に転送して、ＰＤＡ側の電話帳情報と併せて、電話番号の検索処理を行い、検索された電話番号を携帯側に転送して、発呼処理を行い、通信回線と接続する」電子電話帳の拡張方法が開示されている。
【０００６】
【特許文献１】
特開平１０−３２２４３５号公報
【特許文献２】
特開平８−１３９７９８号公報
【０００７】
【発明が解決しようとする課題】
携帯電話機をハンズフリー装置に接続しても、短縮ダイヤルやメモリダイヤルの機能を利用することができなければ、通話頻度が高い相手を呼出すたびに多くの操作を必要として煩わしい。特開平１０−３２２４３５号公報に記載されている先行技術では、メモリダイヤルデータを車両用ハンドフリー装置側に保存しておくので、記憶されている電話番号へ発信する場合は携帯電話機と同様に、簡単に行うことができる。ただし、このためには常に接続する携帯電話機と同じメモリダイヤルデータなどを保存しておく必要がある。この先行技術では、そのようなデータのアップデートを、できるだけデータの転送量が少ないようにデータ管理を行う考え方が示されている。
【０００８】
いずれにしても、ハンズフリー装置に携帯電話機と同一のダイヤルデータを記憶して同等の機能を代行して実現可能にすることは、メモリや操作手段などを、接続対象となる携帯電話機と同様に備えなければならない。このため、ハンズフリー装置は専用の装置となり、コストも上昇してしまう。また、ナビゲーション装置やオーディオ・ヴィジュアル装置など、他の車載用装置の機能の一部などとして実現させることも困難である。
【０００９】
本発明の目的は、簡単な構成で接続する携帯電話機の発信機能などを有効に利用することができるハンズフリー装置を提供することである。
【００１０】
【課題を解決するための手段】
本発明は、携帯電話機を接続して、携帯電話機に対する操作を代行して行うことを可能にするハンズフリー装置であって、
携帯電話機との接続を行う接続手段と、
携帯電話機に予め記憶される情報を使用する発信機能に対応するように設定される操作手段と、
操作手段に対する操作が行われるときに、接続手段を介して携帯電話機を、該発信機能で発信を行うように制御する制御手段とを含むことを特徴とするハンズフリー装置である。
【００１１】
本発明に従えば、携帯電話機を接続して、携帯電話機に対する操作を代行して行うことを可能にするハンズフリー装置は、接続手段と、操作手段と、制御手段とを含む。携帯電話機は接続手段を介して接続され、携帯電話機に予め記憶される情報を使用する発信機能を、操作手段に対する操作で携帯電話機自体を操作するときと同様に行えるように、制御手段が接続手段を介して携帯電話機を制御することができる。ハンズフリー装置には、携帯電話機と同等な情報を記憶する必要はなく、携帯電話機に記憶されている情報を使用して発信機能を有効に利用することができる。
【００１２】
また本発明で、前記操作手段は、タッチパネルを含み、
該タッチパネルの特定エリアに前記携帯電話機の予め定める発信機能が対応することを特徴とする。
【００１３】
本発明に従えば、ハンズフリー装置のタッチパネルの特定エリアに触れるだけで、携帯電話機自体の操作部を操作するときと同様に、携帯電話機に記憶されている情報を使用する発信機能を利用することができる。
【００１４】
また本発明で、前記操作手段は、複数の操作釦を含み、
各操作釦に前記携帯電話機の予め定める発信機能が対応することを特徴とする。
【００１５】
本発明に従えば、ハンズフリー装置の操作釦を操作するだけで、携帯電話機自体の操作部を操作するときと同様に、携帯電話機に記憶されている情報を使用する発信機能を利用することができる。
【００１６】
また本発明で、前記発信機能は、前記携帯電話機に設定されている短縮ダイヤルの特定の番号を割当てて発信する機能であることを特徴とする。
【００１７】
本発明に従えば、ハンズフリー装置の操作手段を操作するだけで、携帯電話機に設定されている短縮ダイヤルの情報を記憶しておかなくても、特定の番号を割当てて発信することができる。たとえば、特によく使用する短縮ダイヤルの番号などを、ハンズフリー装置から容易に使用することができる。
【００１８】
また本発明で、前記発信機能は、前記携帯電話機に設定されているメモリダイヤルの特定の番号を割当てて発信する機能であることを特徴とする。
【００１９】
本発明に従えば、ハンズフリー装置の操作手段を操作するだけで、携帯電話機に設定されているメモリダイヤルの情報を記憶しておかなくても、特定の番号を割当てて発信することができる。たとえば、車両を運転中にかかってきた電話の相手先電話番号をメモリダイヤルとして記憶しておき、車両を停車させてから直ちに電話をかけ直すことができる。
【００２０】
また本発明で、前記制御手段は、前記操作手段に対する操作が行われるときに、該発信機能で使用する情報を前記携帯電話機から読込んで、該携帯電話機に対して該情報に基づく発信を行うように制御することを特徴とする。
【００２１】
本発明に従えば、ハンズフリー装置の利用者が操作手段を操作して携帯電話機に記憶されている情報を使用する発信機能を利用しようとすると、制御手段は該情報を携帯電話機から読込んで、該携帯電話機に対して該情報に基づく発信を行うように制御するので、利用者は該発信機能を、携帯電話機自体を操作する場合と同様に利用することができる。ハンズフリー装置には、該発信機能を利用する際のみ、実際に使用する情報を読込めばよいので、該発信機能で使用する可能性のある情報を全部読込む必要はなく、情報の記憶や転送に必要なメモリや時間を削減して、発信機能を有効に利用することができる。
【００２２】
また本発明で、前記情報は、発信先情報であることを特徴とする。
本発明に従えば、携帯電話機に記憶されている電話番号などの発信先情報を全部ハンズフリー装置側にも記憶しないでも、発信先情報を使用する発信機能を、操作手段への操作で有効に利用することができる。
【００２３】
また本発明で、前記情報は、発信内容となる情報であることを特徴とする。
本発明に従えば、携帯電話機に記憶されているメールや画像などの発信内容となるコンテンツなどの情報を全部ハンズフリー装置側にも記憶しないでも、コンテンツなどの情報を使用する発信機能を、操作手段への操作で有効に利用することができる。
【００２４】
また本発明で、前記制御手段は、前記操作手段に対する操作が行われるときに、該携帯電話機を、該操作に対応する発信機能が作動するように制御することを特徴とする。
【００２５】
本発明に従えば、利用者がハンズフリー装置の操作手段に対する操作を行うと、制御手段は該操作に対応する発信機能が作動するように携帯電話機を制御するので、利用者が携帯電話機を直接操作する場合と同様に発信機能を作動させることができる。
【００２６】
また本発明で、前記接続手段には、複数の携帯電話機が接続可能であり、
前記操作手段は、該接続手段に接続される全ての携帯電話機が同一の発信機能で発信するように制御することを特徴とする。
【００２７】
本発明に従えば、ハンズフリー装置の接続手段に複数の携帯電話機を接続して、全ての携帯電話機で同一の発信機能による発信を行わせることができる。たとえば各携帯電話機にそれぞれ別に記憶されている発信先情報を使用する発信を行わせれば、単一の発信操作で複数の発信先に対する発信を行うことができる。
【００２８】
また本発明で、前記操作手段は、前記携帯電話機が有する複数の発信機能に対応する操作が可能であり、
各操作と前記携帯電話機の発信機能との対応関係を示す対応情報を記憶する対応情報記憶手段を備えることを特徴とする。
【００２９】
本発明に従えば、携帯電話機が有する複数の発信機能と、操作手段への操作との対応関係を示す対応情報を記憶する対応情報記憶手段を備えるので、対応情報を変更して、操作と発信機能との対応関係を容易に変更することができる。
【００３０】
また本発明で、前記対応情報記憶手段に記憶される対応情報は、データ通信によって取得して変更可能であることを特徴とする。
【００３１】
本発明に従えば、対応情報をデータ通信によって外部から取得し、ハンズフリー装置の操作手段に対する操作と携帯電話機の発信機能との対応関係を変更可能であるので、車載機器などをハンズフリー装置として使用するような場合で、操作手段の機能に制限があっても、外部の情報処理機器で対応情報を変更して、煩わしい本体操作を避けることができる。複数のハンズフリー装置に対して、統一的に対応情報を設定して変更する場合も、容易に行うことができる。
【００３２】
また本発明で、前記データ通信は、メールとして行われることを特徴とする。本発明に従えば、ハンズフリー装置の操作手段に対する操作と携帯電話機の発信機能との対応関係を、スクリプトなどを記述した電子メールで変更することができるので、変更内容を判り易くすることができる。
【００３３】
また本発明で、前記対応情報記憶手段に記憶される対応情報は、メモリ媒体から取得して変更可能であることを特徴とする。
【００３４】
本発明に従えば、メモリ媒体に対応情報を記憶しておいて、メモリ媒体をハンズフリー装置に装着して記憶されている対応情報を読出せば、ハンズフリー装置の操作手段に対する操作と携帯電話機の発信機能との対応関係を容易に変更することができる。
【００３５】
【発明の実施の形態】
図１は、本発明の実施の一形態であるハンズフリー装置１の概略的なシステム構成を示す。図１（ａ）はハードウエアの構成を示し、図１（ｂ）は携帯電話機２に記憶されている情報を示し、図１（ｃ）はハンズフリー装置１に設定されている対応情報を示す。
【００３６】
図１（ａ）に示すように、本実施形態のハンズフリー装置１は、自動車などの車両に搭載され、携帯電話機２を接続して、携帯電話機２に対する操作を代行して行うことを可能にするために、携帯電話機２との接続を行う接続手段３と、携帯電話機２に予め記憶される情報を使用する発信機能に対応するように設定される操作手段としての操作釦４およびタッチパネル５と、操作釦４やタッチパネル５に対する操作が行われるときに、接続手段３を介して携帯電話機２を、その発信機能で発信を行うように制御する制御手段であるＣＰＵ６とを含む。ＣＰＵ６は、メモリ７に予め格納されているプログラムに従って制御動作を行う。ハンズフリー装置１は、説明の便宜上、ハンズフリー機能のみを備える専用の装置として説明するけれども、車載オーディオ装置やナビゲーション装置など、他の機器の機能の一部として実現することもできる。
【００３７】
ハンズフリー装置１には、コンパクトフラッシュ（登録商標）、ＳＤカード、メモリスティック、ＩＣカードなどと呼ばれる各種のメモリカードなどがメモリ媒体１０として着脱可能である。操作釦４としては、第１釦１１、第２釦１２などの複数の釦を含む。タッチパネル５には、第１エリア２１、第２エリア２２などの複数のエリアを含む。メモリ媒体１０には、操作釦４の第１釦１１や第２釦１２などの各釦や、タッチパネル５の第１エリア２１、第２エリア２２などの各エリアと、携帯電話機２のメモリダイヤル番号との対応関係を示す対応情報としての対応表が記憶されている。
【００３８】
携帯電話機２には、図１（ｂ）に示すような電話番号の登録を利用するメモリダイヤル機能と短縮ダイヤル機能とが備えられる。メモリダイヤル機能は、発信などで入力した電話番号を、特定の番号１０１，１０２などとして登録しておき、対応するメモリダイヤル番号を指定すると、登録されている電話番号を読出して、その電話番号の相手を呼びだし、通話を行う機能である。着呼があるとき、通知される相手側の電話番号を、特定の番号を指定して、記憶させることもできる。短縮ダイヤル機能は、予め登録しておいた電話番号を少ない操作で呼出して発信する機能である。メモリダイヤル機能や短縮ダイヤル機能は、携帯電話機１の操作部に設けられる特定のキーや数字キーを使用して、電話番号全体を入力するよりも迅速かつ容易に入力することが可能である。
【００３９】
メモリダイヤルとして記憶可能な電話番号は、一般的に、数１００件に達する。このような多くの情報を携帯電話２自体から入力するのは困難であり、修正などのメンテナンスも必要となるので、携帯電話機２には外部接続用のインタフェースが備えられ、パーソナルコンピュータなどの情報処理装置に接続して、電話番号情報などの転送や修正が可能になっている。接続手段３は、携帯電話機２の外部接続用のインタフェースとハンズフリー装置１とを接続する。この接続は、インタフェースケーブルなどを使用する有線式や、光ファイバを使用する有線式、無線電波や赤外線などを使用する無線式などで行うことができる。また、複数の機器を接続してＬＡＮ（Ｌｏｃａｌ　Ａｒｅａ　Ｎｅｔｗｏｒｋ）を構成することもできる。
【００４０】
メモリ媒体１０には、図１（ｃ）に示すように、操作釦４およびタッチパネル５とメモリダイヤル機能との対応情報が記憶されている。このような対応情報は、着脱可能なメモリ媒体１０ばかりではなく、メモリ７に記憶させておくこともできる。メモリ７のＲＯＭに格納させておけば、常に同一の対応情報を利用することができる。フラッシュメモリなど、書換え可能な不揮発性メモリに記憶させておけば、必要に応じて変更することができる。変更内容は、メモリ媒体１０から読込むようにすることもできる。また、携帯電話機２を使用するデータ通信やメールで読込むこともできる。
【００４１】
メモリ媒体１０などに記憶される対応表は、操作釦４やタッチパネル５などの操作手段で、携帯電話機２が有する複数の発信機能に対応する操作を代行して可能にする。すなわち、メモリ媒体１０などは、各操作と携帯電話機２の発信機能との対応関係を示す対応情報を記憶する対応情報記憶手段として機能する。対応情報を変更すれば、操作と発信機能との対応関係を容易に変更することができる。また対応情報は、データ通信によって取得して変更可能であるので、対応情報をデータ通信によって外部から取得し、車載機器などをハンズフリー装置１として使用するような場合で、操作手段の機能に制限があっても、外部の情報処理機器で対応情報を変更して、煩わしい本体操作を避けることができる。事業所などでは、一括して対応情報を変更することもできる。
【００４２】
図１（ｃ）によれば、操作釦４の一つの釦への操作、またはタッチパネル５の一つのエリアへの接触で、特定のメモリダイヤル番号を指定することができる。携帯電話機２でメモリダイヤル番号を指定するためには、たとえば「１０１」の場合、メモリダイヤルの機能の選択と、「１」、「０」および「１」の数字の指定とを操作する必要がある。対応表で、使用頻度の高いメモリダイヤル番号に操作釦４やタッチパネル５を割当てておけば、１回の操作で発信を行わせることができる。
【００４３】
複数のハンズフリー装置１に対して、統一的に対応情報を設定して変更することも、容易に可能である。データ通信は、電子メールの形で行うことができるようにしておくと、ハンズフリー装置１の操作手段に対する操作と携帯電話機２の発信機能との対応関係を、スクリプトなどを記述した電子メールで容易に変更することができ、変更内容を判り易くすることができる。
【００４４】
対応情報記憶手段としてのメモリ媒体１０は、ＩＣカードなど電気的に情報を読出すものばかりではなく、磁気的に、あるいは光学的に情報を読出すような媒体であってもよい。車載のＣＤ、ＭＤ、ＤＶＤなどの記録媒体を再生する装置や、地図情報を記録媒体から読込む機能を有するナビゲーション装置をハンズフリー装置１として兼用すれば、記録媒体の再生機構を利用することができる。
【００４５】
また操作手段として、複数の操作釦４を含み、第１釦１１や第２釦１２などの各操作釦に、携帯電話機２の予め定める発信機能が対応するようにしているので、ハンズフリー装置１の操作釦４を操作するだけで、携帯電話機２自体の操作部を操作するときと同様に、携帯電話機に記憶されている情報を使用する発信機能を利用することができる。
【００４６】
また操作手段として、タッチパネル５を含み、タッチパネル５の第１エリア２１や第２エリア２２などの特定エリアに、携帯電話機２の予め定める発信機能が対応するようにしているので、タッチパネル４の特定エリアに触れるだけで、携帯電話機２自体の操作部を操作するときと同様に、携帯電話機２に記憶されている情報を使用する発信機能を利用することができる。
【００４７】
本実施形態では、図１（ｃ）に示すように、操作釦４とタッチパネル５とを操作手段として、携帯電話機２のメモリダイヤル番号を共通に割当てるようにしている。これによってハンズフリー装置１の利用者は、操作釦４またはタッチパネル５のどちらを操作しても同一の発信機能を利用することができる。操作４とタッチパネル５とで、異なるメモリダイヤル番号に対応させることもできる。この場合は、操作釦４とタッチパネル５とを使い分けて、より多くの電話番号に対して発信する操作を行うことができる。操作手段として、操作釦４やタッチパネル５以外に、ホイールやレバーなど、他の機構を用いることもできる。
【００４８】
図２は、図１の実施形態で、携帯電話機２に設定されているメモリダイヤルの特定の番号を割当てて発信する機能を利用して発信を行う手順を示す。ステップａ０から手順を開始し、ステップａ１では、操作が行われるのを待つ。ステップａ２では、操作釦４への操作であるか否かを判断する。操作釦４への操作ではないと判断するときは、ステップａ３でタッチパネル５への操作であるか否かを判断する。タッチパネル５への操作でもないと判断されれば、ステップａ１に戻る。ステップａ３でタッチパネル５への操作であると判断されれば、ステップａ４で、エリアとメモリダイヤル番号との対応表を参照する。ステップａ３で操作釦４への操作でないと判断するときは、ステップａ５で、操作された釦とメモリダイヤル番号との対応表を参照する。ステップａ４またはステップａ５の対応表参照に基づいて、ステップａ６では、触れられたエリアまたは釦に対応するメモリダイヤル番号を決定する。次にステップａ７で、携帯電話機２を制御し、メモリダイヤル番号での発信を行うように制御し、ステップａ８で手順を終了する。
【００４９】
このように、ハンズフリー装置２の操作手段を操作するだけで、携帯電話機２に設定されているメモリダイヤルの情報をメモリ７などに記憶しておかなくても、特定のメモリダイヤル番号を割当てて発信することができる。たとえば、車両を運転中にかかってきた電話の相手先電話番号をメモリダイヤルとして記憶しておき、車両を停車させてから直ちに電話をかけ直すことも可能になる。なお、メモリダイヤルばかりではなく、短縮ダイヤルにも同様に本発明を適用することができる。メモリダイヤルと短縮ダイヤルとを同時に代行するようにすることもできる。
【００５０】
本実施形態では、制御手段であるＣＰＵ６は、操作釦４やタッチパネル５に対する操作が行われるときに、携帯電話機２を、操作に対応する発信機能が作動するように制御する。利用者がハンズフリー装置１に対する操作を行うと、操作に対応する発信機能が作動するように携帯電話機２を制御するので、利用者が携帯電話機２を直接操作する場合と同様に発信機能を作動させることができる。
【００５１】
また本実施形態で、接続手段３には、複数の携帯電話機２が接続可能であるようにして、操作釦４やタッチパネル５への操作で、接続手段３に接続される全ての携帯電話機２が同一の発信機能で発信するように制御することもできる。たとえば各携帯電話機２にそれぞれ別に記憶されている発信先情報を使用する発信を行わせれば、単一の発信操作で複数の発信先に対する発信を行うことができる。このような利用形態は、車載用に限らず、複数の相手に同一のメッセージやメールなどを送信する際などに有効である。
【００５２】
図３は、本発明の実施の他の形態として、図１のハンズフリー装置１を用いて携帯電話機２の短縮ダイヤル機能を利用する概略的な手順を示す。ステップｂ０から手順を開始し、ステップｂ１では、操作が行われるのを待つ。ステップｂ２では、操作釦４への操作であるか否かを判断する。操作釦４への操作ではないと判断するときは、ステップｂ３でタッチパネル５への操作であるか否かを判断する。タッチパネル５への操作でもないと判断されれば、ステップｂ１に戻る。ステップｂ３でタッチパネル５への操作であると判断されれば、ステップｂ４で、エリアと短縮ダイヤル番号との対応表を参照する。ステップｂ４またはステップｂ５の対応表参照に基づいて、ステップｂ６では、触れられたエリアまたは釦に対応する短縮ダイヤル番号を決定する。次にステップｂ７で、携帯電話機２から短縮ダイヤル番号に対応して記憶されている電話番号を読込む。ステップｂ８では、読込んだ電話番号に当てて発信する。
【００５３】
ハンズフリー装置１は、携帯電話機２に設定されている短縮ダイヤルの情報を全部記憶しておかなくても、操作釦４やタッチパネル５の特定の番号を割当てて発信することができる。たとえば、特によく使用する短縮ダイヤルの番号などを、ハンズフリー装置２から容易に使用することができる。なお、短縮ダイヤルの機能ばかりではなく、メモリダイヤルの機能であっても、同様に代行して操作可能にすることができる。
【００５４】
本実施形態では、制御手段としてのＣＰＵ６は、操作が行われるときに、操作に対応する発信機能で使用する情報を携帯電話機５自体から読込んで、携帯電話機２に対して読込んだ情報に基づく発信を行うように制御する。ハンズフリー装置１には、メモリダイヤルや短縮ダイヤルなどの発信機能を利用する際のみ、実際に使用する電話番号などの情報を読込めばよいので、その発信機能で使用する可能性のある電話番号などの情報を全部読込む必要はなく、情報の記憶や転送に必要なメモリや時間を削減して、発信機能を有効に利用することができる。
【００５５】
なお、各実施形態で発信先情報としては、携帯電話機に記憶されている電話番号の例を示しているけれども、インターネット上のサイトへ接続するためのＵＲＬ（Ｕｎｉｆｏｒｍ　Ｒｅｓｏｕｒｃｅ　Ｌｏｃａｔｏｒ）などを発信先情報とすることもできる。インターネット電話を利用可能で有れば、利用する際のアドレスを発信先情報とすることもできる。
【００５６】
なお、発信先情報を使用する発信機能ばかりではなく、携帯電話機２に記憶されているメールや画像などの発信内容となるコンテンツなどの情報使用する発信機能も、ハンズフリー装置１からの操作で発信するようにすることもできる。発信内容となる情報を全部ハンズフリー装置側にも記憶しないでも、コンテンツなどの情報を使用する発信機能を、操作手段への操作で有効に利用することができる。
【００５７】
【発明の効果】
以上のように本発明によれば、携帯電話機を接続して、携帯電話機に対する操作を代行して行うことを可能にするハンズフリー装置は、携帯電話機に予め記憶される情報を使用する発信機能を、操作手段に対する操作で携帯電話機自体を操作するときと同様に行えるようにすることができる。ハンズフリー装置には、携帯電話機と同等な情報を記憶する必要はなく、携帯電話機に記憶されている情報を使用して発信機能を有効に利用することができる。
【００５８】
また本発明よれば、ハンズフリー装置のタッチパネルの特定エリアに触れるだけで、携帯電話機自体の操作部を操作するときと同様に、記憶されている情報を使用する発信機能を利用することができる。
【００５９】
また本発明によれば、ハンズフリー装置の操作釦を操作するだけで、携帯電話機自体の操作部を操作するときと同様に、記憶されている情報を使用する発信機能を利用することができる。
【００６０】
また本発明によれば、ハンズフリー装置の操作手段を操作するだけで、携帯電話機に設定されている短縮ダイヤルの機能で発信することができる。
【００６１】
また本発明によれば、ハンズフリー装置の操作手段を操作するだけで、携帯電話機に設定されているメモリダイヤルの機能で発信することができる。情報を記憶しておかなくても、特定の番号を割当てて発信することができる。
【００６２】
また本発明によれば、ハンズフリー装置の利用者が操作手段を操作して携帯電話機に記憶されている情報を使用する発信機能を、携帯電話機自体を操作する場合と同様に利用することができる。
【００６３】
また本発明によれば、携帯電話機に記憶されている電話番号などの発信先情報を使用する発信機能を、操作手段への操作で有効に利用することができる。
【００６４】
また本発明によれば、携帯電話機に記憶されているメールや画像などの発信内容となる情報を使用する発信機能を、操作手段への操作で有効に利用することができる。
【００６５】
また本発明によれば、利用者のハンズフリー装置の操作手段に対する操作で、利用者が携帯電話機を直接操作する場合と同様に発信機能を作動させることができる。
【００６６】
また本発明によれば、複数の携帯電話機で同一の発信機能による発信を行わせることができ、各携帯電話機にそれぞれ別に記憶されている発信先情報を使用する発信を行わせれば、単一の発信操作で複数の発信先に対する発信を行うことができる。
【００６７】
また本発明によれば、携帯電話機が有する複数の発信機能と操作手段への操作との対応関係を示す対応情報を変更して、操作と発信機能との対応関係を容易に変更することができる。
【００６８】
また本発明によれば、ハンズフリー装置の操作手段の機能に制限があっても、外部の情報処理機器で対応情報を変更して、煩わしい本体操作を避けることができ、複数のハンズフリー装置に対して統一的に対応情報を設定して変更する場合も、容易に行うことができる。
【００６９】
また本発明によれば、ハンズフリー装置の操作手段に対する操作と携帯電話機の発信機能との対応関係を、メールを利用して判り易く変更することができる。
【００７０】
また本発明によれば、メモリ媒体をハンズフリー装置に装着して記憶されている対応情報を読出せば、ハンズフリー装置の操作手段に対する操作と携帯電話機の発信機能との対応関係を容易に変更することができる。
【図面の簡単な説明】
【図１】本発明の実施の一形態であるハンズフリー装置１の概略的なシステム構成を示すブロック図と、携帯電話機２に記憶される電話番号およびハンズフリー装置１での対応表を示す図表である。
【図２】図１のハンズフリー装置１に対する操作時の、制御手順を示すフローチャートである。
【図３】本発明の実施の他の形態として、図１のハンズフリー装置１に対する操作時の、制御手順を示すフローチャートである。
【符号の説明】
１　ハンズフリー装置
２　携帯電話機
３　接続手段
４　操作釦
５　タッチパネル
６　ＣＰＵ
７　メモリ
１０　メモリ媒体
１１　第１釦
１２　第２釦
２１　第１エリア
２２　第２エリア
【図１】
2004134977.tif 000003
【図２】
2004134977.tif 000004
【図３】
2004134977.tif 000005